【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
次の重量パーセンテージで共重合するモノマー：
（ａ）式（Ｉ）、
Ｒf1−Ｌ−Ｘ−Ｃ（Ｏ）−Ｃ（Ｒ）＝ＣＨ2  （Ｉ）
（式中、
Ｒf1は、１〜約５０個の酸素原子によって任意に中断された、炭素数約２〜約１００の１価の部分的に又は完全にフッ素化された直鎖又は分岐鎖アルキル基であって、炭素原子対酸素原子の比が少なくとも約２：１であり、酸素原子が互いに結合していないアルキル基であり、
Ｌは、結合であるか、又は、−Ｏ−、−ＮＲ1−、−Ｓ−、−ＳＯ−、−ＳＯ2−、および−Ｎ（Ｒ1）Ｃ（Ｏ）−（式中、Ｒ1はＨ又はＣ1〜Ｃ6アルキルである）からなる群から選択される１〜約４個のヘテロ基で任意に中断されており且つＣＨ2Ｃｌで任意に置換されている炭素数１〜約２０の直鎖若しくは分岐鎖の２価の結合基であり、
Ｘは、−Ｏ−、−ＮＲ1−、又は−Ｓ−であり、
Ｒは、水素、Ｃｌ、Ｆ又はＣＨ3である）
のフルオロアルキルモノマー又はモノマーの混合物、約２０％〜約９５％、
（ｂ）
（ｉ）炭素数約６〜約１８の直鎖、分岐鎖又は環状アルキル基を有するアルキル（メタ）アクリレートモノマー、又は
（ｉｉ）１種類以上のイオン性水和性モノマー、
の少なくとも１つ、約５％〜約８０％、および
（ｃ）非フッ素化重合性ナノ粒子、約０．０５％〜約２％、
を含むフルオロポリマー組成物であって、前記ナノ粒子が、重合の際に前記フルオロポリマーの化学構造に組み込まれるフルオロポリマー組成物。
【請求項２】
Ｒf1は、Ｆ（ＣＦ2）n、Ｆ（ＣＦ2）n（ＣＨ2ＣＦ2）p、Ｆ（ＣＦ2）n（ＣＨ2）x［（ＣＦ2ＣＦ2）p（ＣＨ2ＣＨ2）q］m、Ｆ（ＣＦ2）nＯＦ（ＣＦ2）n、Ｆ（ＣＦ2）nＯＣＦＨＣＦ2、又はＦ（ＣＦ2）n［ＯＣＦ2ＣＦ（ＣＦ3）］p［ＯＣＦ2ＣＦ2］q（式中、ｎは１〜約６であり；ｘは１〜約６であり；ｐ、ｑおよびｍはそれぞれ独立して１〜約３である）であり、Ｌは、結合、−（ＣtＨ2t）−（式中、ｔは１〜１０の整数である）、フェニレン、Ｃ1〜Ｃ4アルキル置換フェニレン、エチレンオキシド、Ｒ5、又は、（Ａ）p−Ｒ5［式中、Ａは炭素数１〜６の２価のアルキルであり、ｐは上記に定義した通りであり、Ｒ5は、−Ｓ（ＣＨ2）u−、
【化１】
2011506640.tif 000001
（式中、
ｕは、約２〜約４の整数であり、
ｓは、１〜約５０の整数であり、
Ｒ2、Ｒ3、およびＲ4は、それぞれ独立して水素、又は炭素数１〜約６のアルキル基である）
からなる群から選択される２価の基である］である、請求項１に記載の組成物。
【請求項３】
式（Ｉ）が、Ｆ（ＣＦ2）n（ＣＨ2）t（Ｒ5）rＸ−Ｃ（Ｏ）−Ｃ（Ｒ）＝ＣＨ2、Ｆ（ＣＦ2）n（ＣＨ2ＣＦ2）p（ＣＨ2ＣＨ2）q（Ｒ5）rＸ−Ｃ（Ｏ）−Ｃ（Ｒ）＝ＣＨ2、Ｆ（ＣＦ2）n（ＣＨ2）x［（ＣＦ2ＣＦ2）p（ＣＨ2ＣＨ2）q］m（Ｒ5）rＸ−Ｃ（Ｏ）−Ｃ（Ｒ）＝ＣＨ2、Ｆ（ＣＦ2）nＯ（ＣＦ2）nＣＨ2（ＣtＨ2t）（Ｒ5）rＸ−Ｃ（Ｏ）−Ｃ（Ｒ）＝ＣＨ2、およびＦ（ＣＦ2）nＯＣＦＨＣＦ2（ＯＣＨ2ＣＨ2）vＸ−Ｃ（Ｏ）−Ｃ（Ｒ）＝ＣＨ2、
［式中、
ｎは、１〜約６の整数であり、
ｔは、１〜約１０の整数であり、
ｐ、ｑおよびｍはそれぞれ独立して、１〜約３の整数であり、
ｒは、０又は１であり、
ｖは、１〜約４の整数であり、
Ｒ5は、−Ｓ（ＣＨ2）u−、
【化２】
2011506640.tif 000002
（式中、
ｕは、２〜約４の整数であり、
ｓは、１〜約５０の整数であり、
Ｒ2、Ｒ3、およびＲ4は、それぞれ独立して水素、又は炭素数１〜約６のアルキル基である）
からなる群から選択される２価の基である］
からなる群から選択される、請求項１に記載の組成物。
【請求項４】
前記１種類以上のイオン性水和性モノマーが、Ｍ1ＯＣ（Ｏ）−Ｃ（Ｒ）＝ＣＨ2、（Ｒ1）2Ｎ−Ｌ11−Ｏ−Ｃ（Ｏ）−Ｃ（Ｒ）＝ＣＨ2、Ｍ1ＯＣ（Ｏ）−Ｌ11−Ｏ−Ｃ（Ｏ）−Ｃ（Ｒ）＝ＣＨ2、（Ｍ1Ｏ）3-kＰ（Ｏ）［−Ｌ11−Ｏ−Ｃ（Ｏ）−Ｃ（Ｒ）＝ＣＨ2］k、Ｍ1ＯＳ（Ｏ）2−Ｌ11−Ｘ−Ｃ（Ｏ）−Ｃ（Ｒ）＝ＣＨ2、Ｍ1ＯＳ（Ｏ）2−Ｌ11−Ｃ（Ｒ）＝ＣＨ2、およびＭ1ＯＳ（Ｏ）2−Ｃ（Ｒ）＝ＣＨ2、Ｍ1ＯＳ（Ｏ）−Ｌ11−Ｃ（Ｒ）＝ＣＨ2、
（式中、
Ｒは、水素、Ｃｌ、Ｆ又はＣＨ3であり、
Ｒ1は、Ｈ又はＣ1〜Ｃ6アルキルであり、
Ｍ1は、水素又はカチオンであり、
ｋは、１又は２であり、
Ｌ11は、結合であるか、又は−Ｏ−、−ＮＲ1−、−Ｓ−、−ＳＯ−、−ＳＯ2−、および−Ｎ（Ｒ1）Ｃ（Ｏ）−、および−ＯＣ（Ｏ）−からなる群から選択される１個又は２個のヘテロ基で任意に中断されており、且つＣＨ2Ｃｌで任意に置換されている炭素数２〜約２０の有機結合基である）
からなる群から選択される、請求項１に記載の組成物。
【請求項５】
次の重量パーセンテージで共重合する少なくとも１種類の追加のモノマー：
（ｄ）塩化ビニリデン、塩化ビニル、又は酢酸ビニル、又はこれらの混合物、約１％〜約３５％、又は
（ｅ）スチレン、メチル置換スチレン、クロロメチル置換スチレン、２−ヒドロキシエチル（メタ）アクリレート、エチレンジオールジ（メタ）アクリレート、Ｎ−メチロイル（メタ）アクリルアミド、Ｃ1〜Ｃ5アルキル（メタ）アクリレート、および式（ＸＸ）：
Ｒ8（ＯＣＨ2ＣＨ2）mＯ−Ｃ（Ｏ）−Ｃ（Ｒ）＝ＣＨ2      （ＸＸ）
（式中、
ｍは、２〜約１０であり、
Ｒ8は、水素、Ｃ1〜Ｃ4アルキル、又はＣＨ2＝Ｃ（Ｒ）Ｃ（Ｏ）−Ｏ−であり、
各Ｒは、水素、Ｃｌ、Ｆ又はＣＨ3である）
の化合物からなる群から選択される少なくとも１種類のモノマー、約０．５％〜約２５％、又は
（ｆ）式（ＸＸＩａ）、（ＸＸＩｂ）又は（ＸＸＩｃ）： 
【化３】
2011506640.tif 000003
（Ｒ9Ｏ）3Ｓｉ−Ｂ1−Ｘ−Ｃ（Ｏ）−Ｃ（Ｒ）＝ＣＨ2      （ＸＸＩｂ）
（Ｒ9Ｏ）3Ｓｉ−Ｂ2−Ｃ（Ｒ1）＝ＣＨ2      （ＸＸＩｃ）
（式中、
各Ｒは、独立して水素、Ｃｌ、Ｆ又はＣＨ3であり、
Ｒ9は、直鎖又は分岐鎖Ｃ1〜Ｃ4アルキルであり、
Ｂ1は、２価の直鎖又は分岐鎖Ｃ2〜Ｃ4アルキレンであり、
Ｂ2は、共有結合又は２価の直鎖若しくは分岐鎖Ｃ1〜Ｃ4アルキレンであり、
Ｘは、−Ｏ−、−ＮＲ1−（式中、Ｒ1はＨ又はＣ1〜Ｃ6アルキルである）、又は−Ｓ−である）
の少なくとも１種類のモノマー、約０．５％〜約１０％、又は
（ｇ）（ｄ）、（ｅ）又は（ｆ）のいずれかの組み合わせ、１％〜約３５％、
を更に含む、請求項１に記載の組成物。
【請求項６】
前記重合性ナノ粒子が、Ｓｉ、Ｔｉ、Ｚｎ、Ｚｒ、Ｍｎ、Ａｌ、およびこれらの組み合わせからなる群から独立して選択されるＭ原子の酸化物を含む表面改質された無機酸化物粒子であり、少なくとも１種類の粒子の表面が、式（ＩＶ）、
（Ｌ2）d（Ｌ3）cＳｉ−（Ｏ）e−（Ｒ7）f−（Ｚ1）a−［Ｃ（Ｘ1）］x−（Ｚ2）l−Ｑ
（ＩＶ）
（式中、
Ｌ2は、Ｍに共有結合している酸素であり；各Ｌ3はＨ、Ｃ1〜Ｃ2アルキル、およびＯＨからなる群から独立して選択され；ｄおよびｃはそれぞれ独立して、ｄが１以上であり、ｃが０以上であり、ｄ＋ｃが３となるような整数であり；
ｅ、ｆ、ａ、ｘおよびｌは、それぞれ独立して０又は１であり；
Ｒ7は、直鎖又は分岐鎖のＣ1〜Ｃ12アルキルであり、
Ｚ1は、−ＮＨ−であり、
Ｘ1は、Ｏ又はＳであり、
Ｚ2は、ＮＨ、Ｎ−Ｃ（Ｏ）−ＯＨ、Ｎ−Ｃ（Ｏ）−、又はＯＣＨ2ＣＨ2Ｎ−Ｃ（Ｏ）−であるが、但し、Ｚ2がＮ−Ｃ（Ｏ）−又はＯＣＨ2ＣＨ2Ｎ−Ｃ（Ｏ）−であるとき、Ｑは、Ｎ−Ｃ（Ｏ）−ＣＨ＝ＣＨ−Ｃ（Ｏ）−で表される５員の複素環を形成し、
Ｑは、−Ｏ−Ｃ（Ｏ）−、−Ｃ（Ｏ）−Ｏ−、又は１つの２価の有機基によって任意に中断されたＣ2〜Ｃ12ヒドロカルビレンからなる群から選択される）
で表される少なくとも１つの基に共有結合している、請求項１に記載の組成物。
【請求項７】
前記重合性ナノ粒子が、前記粒子に結合しているエチレン性不飽和部分を有し、前記部分が（メタ）アクリレート、マレエート、マレイミド、フマレート、並びに、スチレンおよび置換スチレン、ビニル、アリルおよびジエンを含む不飽和炭化水素からなる群から選択される、請求項１に記載の組成物。
【請求項８】
前記重合性ナノ粒子の平均粒径が、約１０〜約５００ｎｍである、請求項１に記載の組成物。
【請求項９】
繊維基材の表面に請求項１に記載のフルオロポリマー組成物を塗布する工程を含む、繊維基材の処理方法。
【請求項１０】
織られた又は織られていない繊維、ヤーン、布帛、混紡布、テキスタイル、不織布、紙、皮革、ラグ、およびカーペットである、請求項９に記載の方法により処理された繊維基材。
【手続補正２】
【補正対象書類名】明細書
【補正対象項目名】０１０２
【補正方法】変更
【補正の内容】
【０１０２】
表６のデータから、ナノ粒子がポリマー構造に共重合した実施例４は、ナノ粒子を含有しない比較例Ｇおよび非重合粒子が存在する比較例Ｈより優れた撥水性と高い静水圧を提供することが分かった。
なお、本発明は、特許請求の範囲を含め、以下の発明を包含する。
１．次の重量パーセンテージで共重合するモノマー：
（ａ）式（Ｉ）、
Ｒf1−Ｌ−Ｘ−Ｃ（Ｏ）−Ｃ（Ｒ）＝ＣＨ2  （Ｉ）
（式中、
Ｒf1は、１〜約５０個の酸素原子によって任意に中断された、炭素数約２〜約１００の１価の部分的に又は完全にフッ素化された直鎖又は分岐鎖アルキル基であって、炭素原子対酸素原子の比が少なくとも約２：１であり、酸素原子が互いに結合していないアルキル基であり、
Ｌは、結合であるか、又は、−Ｏ−、−ＮＲ1−、−Ｓ−、−ＳＯ−、−ＳＯ2−、および−Ｎ（Ｒ1）Ｃ（Ｏ）−（式中、Ｒ1はＨ又はＣ1〜Ｃ6アルキルである）からなる群から選択される１〜約４個のヘテロ基で任意に中断されており且つＣＨ2Ｃｌで任意に置換されている炭素数１〜約２０の直鎖若しくは分岐鎖の２価の結合基であり、
Ｘは、−Ｏ−、−ＮＲ1−、又は−Ｓ−であり、
Ｒは、水素、Ｃｌ、Ｆ又はＣＨ3である）
のフルオロアルキルモノマー又はモノマーの混合物、約２０％〜約９５％、
（ｂ）
（ｉ）炭素数約６〜約１８の直鎖、分岐鎖又は環状アルキル基を有するアルキル（メタ）アクリレートモノマー、又は
（ｉｉ）１種類以上のイオン性水和性モノマー、
の少なくとも１つ、約５％〜約８０％、および
（ｃ）非フッ素化重合性ナノ粒子、約０．０５％〜約２％、
を含むフルオロポリマー組成物。
２．Ｒf1は、Ｆ（ＣＦ2）n、Ｆ（ＣＦ2）n（ＣＨ2ＣＦ2）p、Ｆ（ＣＦ2）n（ＣＨ2）x［（ＣＦ2ＣＦ2）p（ＣＨ2ＣＨ2）q］m、Ｆ（ＣＦ2）nＯＦ（ＣＦ2）n、Ｆ（ＣＦ2）nＯＣＦＨＣＦ2、又はＦ（ＣＦ2）n［ＯＣＦ2ＣＦ（ＣＦ3）］p［ＯＣＦ2ＣＦ2］q（式中、ｎは１〜約６であり；ｘは１〜約６であり；ｐ、ｑおよびｍはそれぞれ独立して１〜約３であり、ｒは０または１である）である、１に記載の組成物。
３．Ｌは、結合、−（ＣtＨ2t）−（式中、ｔは１〜１０の整数である）、フェニレン、Ｃ1〜Ｃ4アルキル置換フェニレン、エチレンオキシド、Ｒ5、又は、（Ａ）p−Ｒ5［式中、Ａは炭素数１〜６の２価のアルキルであり、ｐは上記に定義した通りであり、Ｒ5は、−Ｓ（ＣＨ2）u−、
【化１】
2011506640.tif 000004
（式中、
ｕは、約２〜約４の整数であり、
ｓは、１〜約５０の整数であり、
Ｒ2、Ｒ3、およびＲ4は、それぞれ独立して水素、又は炭素数１〜約６のアルキル基である）
からなる群から選択される２価の基である］である、１に記載の組成物。
４．式（Ｉ）が、Ｆ（ＣＦ2）n（ＣＨ2）t（Ｒ5）rＸ−Ｃ（Ｏ）−Ｃ（Ｒ）＝ＣＨ2、Ｆ（ＣＦ2）n（ＣＨ2ＣＦ2）p（ＣＨ2ＣＨ2）q（Ｒ5）rＸ−Ｃ（Ｏ）−Ｃ（Ｒ）＝ＣＨ2、Ｆ（ＣＦ2）n（ＣＨ2）x［（ＣＦ2ＣＦ2）p（ＣＨ2ＣＨ2）q］m（Ｒ5）rＸ−Ｃ（Ｏ）−Ｃ（Ｒ）＝ＣＨ2、Ｆ（ＣＦ2）nＯ（ＣＦ2）nＣＨ2（ＣtＨ2t）（Ｒ5）rＸ−Ｃ（Ｏ）−Ｃ（Ｒ）＝ＣＨ2、およびＦ（ＣＦ2）nＯＣＦＨＣＦ2（ＯＣＨ2ＣＨ2）vＸ−Ｃ（Ｏ）−Ｃ（Ｒ）＝ＣＨ2、
［式中、
ｎは、１〜約６の整数であり、
ｔは、１〜約１０の整数であり、
ｐ、ｑおよびｍはそれぞれ独立して、１〜約３の整数であり、
ｒは、０又は１であり、
ｖは、１〜約４の整数であり、
Ｒ5は、−Ｓ（ＣＨ2）u−、
【化２】
2011506640.tif 000005
（式中、
ｕは、２〜約４の整数であり、
ｓは、１〜約５０の整数であり、
Ｒ2、Ｒ3、およびＲ4は、それぞれ独立して水素、又は炭素数１〜約６のアルキル基である）
からなる群から選択される２価の基である］
からなる群から選択される、１に記載の組成物。
５．ｎが４〜６であり、ｐ、ｑおよびｍがそれぞれ１であり、ｒが０である、４に記載の組成物。
６．前記１種類以上のイオン性水和性モノマーが、Ｍ1ＯＣ（Ｏ）−Ｃ（Ｒ）＝ＣＨ2、（Ｒ1）2Ｎ−Ｌ11−Ｏ−Ｃ（Ｏ）−Ｃ（Ｒ）＝ＣＨ2、Ｍ1ＯＣ（Ｏ）−Ｌ11−Ｏ−Ｃ（Ｏ）−Ｃ（Ｒ）＝ＣＨ2、（Ｍ1Ｏ）3-kＰ（Ｏ）［−Ｌ11−Ｏ−Ｃ（Ｏ）−Ｃ（Ｒ）＝ＣＨ2］k、Ｍ1ＯＳ（Ｏ）2−Ｌ11−Ｘ−Ｃ（Ｏ）−Ｃ（Ｒ）＝ＣＨ2、Ｍ1ＯＳ（Ｏ）2−Ｌ11−Ｃ（Ｒ）＝ＣＨ2、およびＭ1ＯＳ（Ｏ）2−Ｃ（Ｒ）＝ＣＨ2、Ｍ1ＯＳ（Ｏ）−Ｌ11−Ｃ（Ｒ）＝ＣＨ2、
（式中、
Ｒは、水素、Ｃｌ、Ｆ又はＣＨ3であり、
Ｒ1は、Ｈ又はＣ1〜Ｃ6アルキルであり、
Ｍ1は、水素又はカチオンであり、
ｋは、１又は２であり、
Ｌ11は、結合であるか、又は−Ｏ−、−ＮＲ1−、−Ｓ−、−ＳＯ−、−ＳＯ2−、および−Ｎ（Ｒ1）Ｃ（Ｏ）−、および−ＯＣ（Ｏ）−からなる群から選択される１個又は２個のヘテロ基で任意に中断されており、且つＣＨ2Ｃｌで任意に置換されている炭素数２〜約２０の有機結合基である）
からなる群から選択される、１に記載の組成物。
７．次の重量パーセンテージで共重合する少なくとも１種類の追加のモノマー：
（ｄ）塩化ビニリデン、塩化ビニル、又は酢酸ビニル、又はこれらの混合物、約１％〜約３５％、又は
（ｅ）スチレン、メチル置換スチレン、クロロメチル置換スチレン、２−ヒドロキシエチル（メタ）アクリレート、エチレンジオールジ（メタ）アクリレート、Ｎ−メチロイル（メタ）アクリルアミド、Ｃ1〜Ｃ5アルキル（メタ）アクリレート、および式（ＸＸ）：
Ｒ8（ＯＣＨ2ＣＨ2）mＯ−Ｃ（Ｏ）−Ｃ（Ｒ）＝ＣＨ2      （ＸＸ）
（式中、
ｍは、２〜約１０であり、
Ｒ8は、水素、Ｃ1〜Ｃ4アルキル、又はＣＨ2＝Ｃ（Ｒ）Ｃ（Ｏ）−Ｏ−であり、
各Ｒは、水素、Ｃｌ、Ｆ又はＣＨ3である）
の化合物からなる群から選択される少なくとも１種類のモノマー、約０．５％〜約２５％、又は
（ｆ）式（ＸＸＩａ）、（ＸＸＩｂ）又は（ＸＸＩｃ）： 
【化３】
2011506640.tif 000006
（Ｒ9Ｏ）3Ｓｉ−Ｂ1−Ｘ−Ｃ（Ｏ）−Ｃ（Ｒ）＝ＣＨ2      （ＸＸＩｂ）
（Ｒ9Ｏ）3Ｓｉ−Ｂ2−Ｃ（Ｒ1）＝ＣＨ2      （ＸＸＩｃ）
（式中、
各Ｒは、独立して水素、Ｃｌ、Ｆ又はＣＨ3であり、
Ｒ9は、直鎖又は分岐鎖Ｃ1〜Ｃ4アルキルであり、
Ｂ1は、２価の直鎖又は分岐鎖Ｃ2〜Ｃ4アルキレンであり、
Ｂ2は、共有結合又は２価の直鎖若しくは分岐鎖Ｃ1〜Ｃ4アルキレンであり、
Ｘは、−Ｏ−、−ＮＲ1−（式中、Ｒ1はＨ又はＣ1〜Ｃ6アルキルである）、又は−Ｓ−である）
の少なくとも１種類のモノマー、約０．５％〜約１０％、又は
（ｇ）（ｄ）、（ｅ）又は（ｆ）のいずれかの組み合わせ、１％〜約３５％、
を更に含む、１に記載の組成物。
８．前記重合性ナノ粒子が、Ｓｉ、Ｔｉ、Ｚｎ、Ｚｒ、Ｍｎ、Ａｌ、およびこれらの組み合わせからなる群から独立して選択されるＭ原子の酸化物を含む表面改質された無機酸化物粒子であり、少なくとも１種類の粒子の表面が、式（ＩＶ）、
（Ｌ2）d（Ｌ3）cＳｉ−（Ｏ）e−（Ｒ7）f−（Ｚ1）a−［Ｃ（Ｘ1）］x−（Ｚ2）l−Ｑ
（ＩＶ）
（式中、
Ｌ2は、Ｍに共有結合している酸素であり；各Ｌ3はＨ、Ｃ1〜Ｃ2アルキル、およびＯＨからなる群から独立して選択され；ｄおよびｃはそれぞれ独立して、ｄが１以上であり、ｃが０以上であり、ｄ＋ｃが３となるような整数であり；
ｅ、ｆ、ａ、ｘおよびｌは、それぞれ独立して０又は１であり；
Ｒ7は、直鎖又は分岐鎖のＣ1〜Ｃ12アルキルであり、
Ｚ1は、−ＮＨ−であり、
Ｘ1は、Ｏ又はＳであり、
Ｚ2は、ＮＨ、Ｎ−Ｃ（Ｏ）−ＯＨ、Ｎ−Ｃ（Ｏ）−、又はＯＣＨ2ＣＨ2Ｎ−Ｃ（Ｏ）−であるが、但し、Ｚ2がＮ−Ｃ（Ｏ）−又はＯＣＨ2ＣＨ2Ｎ−Ｃ（Ｏ）−であるとき、Ｑは、Ｎ−Ｃ（Ｏ）−ＣＨ＝ＣＨ−Ｃ（Ｏ）−で表される５員の複素環を形成し、
Ｑは、−Ｏ−Ｃ（Ｏ）−、−Ｃ（Ｏ）−Ｏ−、又は１つの２価の有機基によって任意に中断されたＣ2〜Ｃ12ヒドロカルビレンからなる群から選択される）
で表される少なくとも１つの基に共有結合している、１に記載の組成物。
９．前記重合性ナノ粒子が、前記粒子に結合しているエチレン性不飽和部分を有し、前記部分が（メタ）アクリレート、マレエート、マレイミド、フマレート、並びに、スチレンおよび置換スチレン、ビニル、アリルおよびジエンを含む不飽和炭化水素からなる群から選択される、１に記載の組成物。
１０．前記重合性ナノ粒子が、Ｓｉ、Ｔｉ、Ｚｎ、Ｍｎ、Ａｌ、又はＺｒの無機酸化物を含む、１に記載の組成物。
１１．前記重合性ナノ粒子が、Ｓｉの無機酸化物である、１に記載のコポリマー組成物。
１２．前記重合性ナノ粒子が、アクリレート基を含有するＳｉの無機酸化物である、１１に記載の組成物。
１３．前記重合性ナノ粒子の平均粒径が、約１０〜約５００ｎｍである、１に記載のコポリマー組成物。
１４．次の重量パーセンテージで共重合するモノマー：
（ａ）式（Ｉ）、
Ｒf1−Ｌ−Ｘ−Ｃ（Ｏ）−Ｃ（Ｒ）＝ＣＨ2  （Ｉ）
［式中、
Ｒf1は、１〜約５０個の酸素原子によって任意に中断された、炭素数約２〜約１００の１価の部分的に又は完全にフッ素化された直鎖又は分岐鎖アルキル基であって、炭素原子対酸素原子の比が少なくとも約２：１であり、酸素原子が互いに結合していないアルキル基であり、
Ｌは、結合であるか、又は、−Ｏ−、−ＮＲ1−、−Ｓ−、−ＳＯ−、−ＳＯ2−、および−Ｎ（Ｒ1）Ｃ（Ｏ）−（式中、Ｒ1はＨ又はＣ1〜Ｃ6アルキルである）からなる群から選択される１〜約４個のヘテロ基で任意に中断されており且つＣＨ2Ｃｌで任意に置換されている炭素数１〜約２０の直鎖若しくは分岐鎖の２価の結合基であり、
Ｘは、−Ｏ−、−ＮＲ1−（式中、Ｒ1はＨ又はＣ1〜Ｃ6アルキルである）、又は−Ｓ−であり、
Ｒは、水素、Ｃｌ、Ｆ又はＣＨ3である］
のフルオロアルキルモノマー又はモノマーの混合物、約２０％〜約９５％、
（ｂ）
（ｉ）炭素数約６〜約１８の直鎖、分岐鎖又は環状アルキル基を有するアルキル（メタ）アクリレートモノマー、又は
（ｉｉ）１種類以上のイオン性水和性モノマー、
の少なくとも１つ、約５％〜約８０％、および
（ｃ）重合性非フッ素化ナノ粒子、約０．０５％〜約２％、
を含むフルオロポリマー組成物を繊維基材の表面に塗布することを含む、繊維基材の処理方法であって、
前記組成物がそれと接触する基材に撥油性および撥水性を付与する、方法。
１５．前記フルオロポリマー組成物が、水中約５ｇ／Ｌ〜約１００ｇ／Ｌの濃度を有する、１４に記載の方法。
１６．１４に記載の方法により処理された繊維基材。
１７．織られた又は織られていない繊維、ヤーン、布帛、混紡布、テキスタイル、不織布、紙、皮革、ラグ、およびカーペットである、１６に記載の基材。